(57)【特許請求の範囲】
【請求項１】
取付面に対して固定される固定ブロックと、光源を保持して前記固定ブロックに着脱自在に結合する光源ブロックとを備え、
前記光源ブロックは、扁平な形状であって一面に前記光源が固定された光源保持体と、前記光源保持体に対して回転可能に連結された少なくとも１個の把手を有し、
各前記把手は、それぞれ、前記光源保持体の厚さ方向から見て前記光源に重ならない収納位置と、前記光源よりも前記一面側に突出する突出位置との間で、前記一面に平行な軸周りで回転可能な形で前記光源保持体に連結されている照明器具。
【請求項２】
前記固定ブロックは、取付面に対して固定されるベースと、導電材料からなり前記ベースに保持された固定側端子とを有し、
前記光源ブロックは、前記把手に固定され、前記光源に電気的に接続されるとともに、前記光源ブロックが前記固定ブロックに結合した状態では前記収納位置において前記固定側端子に接触導通する把手側端子を有することを特徴とする請求項１記載の照明器具。
【請求項３】
前記固定ブロックは、それぞれ前記光源保持体の端部に係脱可能な複数個の係合爪を有し、各前記係合爪がそれぞれ前記光源保持体に係合することで前記光源ブロックに結合するものであって、
各前記係合爪がそれぞれ前記光源保持体に係合し且つ前記把手が収納位置にある状態では、少なくとも１個の前記係合爪は、前記把手と前記光源保持体との間に挟まれることで、係合の解除を禁止されることを特徴とする請求項１又は請求項２記載の照明器具。
【発明の詳細な説明】
【技術分野】
【０００１】
本発明は、照明器具に関するものである。
【背景技術】
【０００２】
従来から、天井面等の取付面に固定される固定ブロックと、光源を保持し固定ブロックに対して着脱自在に結合する光源ブロックとを備える照明器具が提供されている。光源ブロックは、例えば取付面に直交する方向の嵌合により固定ブロックに結合する（例えば、特許文献１参照）。
【０００３】
上記の照明器具では、光源が寿命を迎えたときには光源ブロックを交換すればよく、且つ、固定ブロックに対する光源ブロックの着脱は取付面に対する着脱よりも容易な作業とすることができるから、光源ブロックが取付面に直接固定される場合に比べて整備性が改善される。
【先行技術文献】
【特許文献】
【０００４】
【特許文献１】特開２０１１−８９１８号公報
【発明の概要】
【発明が解決しようとする課題】
【０００５】
しかしながら、従来は、光源ブロックを固定ブロックから取り外す際には、光源ブロックの両端に手の指を引っ掛けて同時に引くなどする必要があったため、光源ブロックの交換が比較的に困難であった。
【０００６】
本発明は、上記事由に鑑みて為されたものであり、その目的は、光源ブロックの交換が容易な照明器具を提供することにある。
【課題を解決するための手段】
【０００７】
本発明の照明器具は、取付面に対して固定される固定ブロックと、光源を保持して前記固定ブロックに着脱自在に結合する光源ブロックとを備え、前記光源ブロックは、扁平な形状であって一面に前記光源が固定された光源保持体と、前記光源保持体に対して回転可能に連結された少なくとも１個の把手を有し、各前記把手は、それぞれ、前記光源保持体の厚さ方向から見て前記光源に重ならない収納位置と、前記光源よりも前記一面側に突出する突出位置との間で、前記一面に平行な軸周りで回転可能な形で前記光源保持体に連結されていることを特徴とする。
【０００８】
上記の照明器具において、前記固定ブロックは、取付面に対して固定されるベースと、導電材料からなり前記ベースに保持された固定側端子とを有し、前記光源ブロックは、前記把手に固定され、前記光源に電気的に接続されるとともに、前記光源ブロックが前記固定ブロックに結合した状態では前記収納位置において前記固定側端子に接触導通する把手側端子を有することが望ましい。
【０００９】
また、上記の照明器具において、前記固定ブロックは、それぞれ前記光源保持体の端部に係脱可能な複数個の係合爪を有し、各前記係合爪がそれぞれ前記光源保持体に係合することで前記光源ブロックに結合するものであって、各前記係合爪がそれぞれ前記光源保持体に係合し且つ前記把手が収納位置にある状態では、少なくとも１個の前記係合爪は、前記把手と前記光源保持体との間に挟まれることで、係合の解除を禁止されることが望ましい。
【発明の効果】
【００１０】
本発明によれば、固定ブロックから光源ブロックを取り外す際には把手を持つことで取り外しが容易となるから、把手が設けられない場合に比べて光源ブロックの交換が容易となる。
【図面の簡単な説明】
【００１１】
【図１】本発明の実施形態において光源ブロックを固定ブロックから取り外した状態を示す斜視図である。
【図２】同上において光源ブロックを固定ブロックに結合させ且つ把手を突出位置とした状態を示す斜視図である。
【図３】同上において光源ブロックを固定ブロックに結合させ且つ把手を収納位置とした状態を示す斜視図である。
【図４】同上を示す分解斜視図である。
【図５】同上の光源ブロックを示す分解斜視図である。
【図６】同上の把手の要部を示す斜視図である。
【図７】図３のＡ−Ａ断面の要部を示す断面図である。
【図８】図３のＢ−Ｂ断面の要部を示す断面図である。
【発明を実施するための形態】
【００１２】
以下、本発明を実施するための最良の形態について、図面を参照しながら説明する。
【００１３】
本実施形態は、図１〜図３に示すように、天井面等の取付面（図示せず）に固定される固定ブロック１と、面状光源２０（図４参照）を保持し固定ブロック１に対して着脱自在に結合する光源ブロック２とを備える。固定ブロック１を取付面に固定する手段としては、例えばねじ止めなどの周知の手段を適宜用いることができる。以下、上下方向は図１を基準として説明する。すなわち、固定ブロック１において取付面に向けられる面を上面と呼ぶ。固定ブロック１と光源ブロック２とは、それぞれ、少なくとも外側から見える範囲では、上下方向に平行な軸周りに２回回転対称な構造となっている。
【００１４】
光源ブロック２は、図４に示すように、全体として長方形板状の光源保持体３と、光源保持体３の下面に設けられた収納凹部３０に収納された面状光源２０と、面状光源２０の光を通す材料からなり光源保持体３に結合して収納凹部３０を閉塞するカバー４とを有する。
【００１５】
面状光源２０の上面には、それぞれ導電材料からなる２個の軸端子５が取り付けられている。面状光源２０は、上記の軸端子５間に通電されることで下面を発光させる。このような面状光源２０は、例えば周知の有機ＥＬ素子を用いて実現可能であるので、詳細な説明は省略する。
【００１６】
カバー４の材料としては例えばアクリル樹脂やポリカーボネート樹脂を用いることができる。また、カバー４を光源保持体３に結合させる手段としては、例えば嵌合や凹凸係合を用いることができる。
【００１７】
また、光源ブロック２は、図５に示すように、それぞれ光源保持体３に対して回転自在に結合した２個の把手６を有する。各把手６は、それぞれ、一端部が光源保持体３に連結された２個のアーム部６１，６２と、アーム部６１，６２の他端部間を連結する本体部６３とを有する。各把手６において、本体部６３の長手方向と各アーム部６１，６２の長手方向とは互いに直交し、且つ、本体部６３からの突出方向はアーム部６１，６２間で互いに共通であって、各把手６はそれぞれ全体としてＵ字形状となっている。
【００１８】
面状光源２０に接続された軸端子５は、面状光源２０の上面側にピン挿入実装された本体部５１と、面状光源２０の一辺に直交する方向に突設された円柱形状の軸部５２とを有する。光源保持体３には、円柱形状の軸凸部３１と、軸凸部３１と同軸となるような位置及び向きで軸端子５の軸部５２が挿通される切り欠き３２とが、各把手６について１個ずつ設けられている。また、カバー４は、それぞれ切り欠き３２に挿入されて切り欠き３２の内面との間に軸部５２を挟む凸部４１を有する。各把手６において、各アーム部６１，６２には、それぞれ断面円形状の軸受け穴６４，６５が設けられている。そして、一方のアーム部（以下、「第１アーム部」と呼ぶ。）６１の軸受け穴６４に軸凸部３１が挿入されるとともに、他方のアーム部（以下、「第２アーム部」と呼ぶ。）６２の軸受け穴６５に軸端子５の軸部５２が挿入される。これにより、各把手６はそれぞれ光源保持体３に対して回転可能に支持されている。各把手６は、それぞれ、本体部６３が面状光源２０の下方に位置する状態と、本体部６３が光源保持体３に対して水平方向に並び下方から見て把手６が面状光源２０に重ならない状態（以下、「収納状態」と呼ぶ。）との間で回転可能である。
【００１９】
さらに、各把手６において、第２アーム部６２には、図６に示すように、導電材料からなる把手側端子７が固定されている。把手側端子７は、第２アーム部６２に固定された固定部７１を有する。固定部７１を第２アーム部６２に固定する手段としては、例えば嵌合やカシメといった周知の手段を用いることができる。また、固定部７１において、把手６の本体部６３から離れた側の一端には、軸端子５の軸部５２を弾性的に挟持するクリップ部７２が設けられている。さらに、固定部７１において、把手６の本体部６３に近い側の一端には、収納状態で第２アーム部６２の上方に突出する栓刃部７３が設けられている。
【００２０】
ここで、固定ブロック１は、図４に示すように、例えば合成樹脂からなる板状のベース１１と、それぞれ導電材料からなりベース１１に保持されて把手側端子７を介して１個ずつの軸端子５に電気的に接続される固定側端子１２とを有する。より具体的には、各固定側端子１２は、それぞれ、ベース１１の上面に設けられた収納凹部１３内に収納されている。収納凹部１３の底面には栓刃挿入穴１４が上下に貫設されており、各固定側端子１２は、それぞれクリップ状であって、栓刃挿入穴１４に挿入された栓刃部７３を厚さ方向の両側から弾性的に挟持する。
【００２１】
また、固定ブロック１において、ベース１１の下面には、光源ブロック２の光源保持体３を把手６のアーム部６１，６２と同じ方向から挟む配置で、２組４個の係合爪１５が下方に突設されている。さらに、光源ブロック２の光源保持体３には、係合爪１５が一対一に係合する４個の係合穴３３が設けられている。そして、各係合爪１５がそれぞれ係合穴３３に係入することで、光源ブロック２は固定ブロック１に結合する。
【００２２】
さらに、ベース１１には、片持ち梁形状であって先端部を上下に変位させるように弾性変形可能な４個のばね部１６が設けられており、各係合爪１５はそれぞればね部１６の先端部から下方に突設されている。そして、各係合爪１５は、ばね部１６や係合爪１５自身の弾性変形により、係合穴３３に対する係脱が可能となっている。
【００２３】
また、固定ブロック１において、ベース１１の下面には、係合爪１５が光源保持体３を挟む方向と上下方向とに直交する方向において光源保持体３を挟む位置決め片１７が下方に突設されている。また、光源保持体３には１個ずつの位置決め片１７が係合する２個の位置決め凹部３４が設けられている。すなわち、各位置決め片１７がそれぞれ位置決め凹部３４に挿入されることで、各係合爪１５がそれぞれ係合穴３３の位置に来るように、固定ブロック１に対する光源保持体３の位置決めがなされる。
【００２４】
光源ブロック２を固定ブロック１に取り付ける際には、図１のように各把手６をそれぞれ収納位置から係合穴３３が露出する程度まで下方に回転した位置（以下、「突出位置」と呼ぶ。）まで変位させた状態で、係合爪１５の位置と係合穴３３の位置とを合わせて、光源ブロック２を下方から固定ブロック１に押し付ける。すると、図２に示すように、係合爪１５やばね部１６の弾性変形により、各係合爪１５がそれぞれ係合穴３３に係入し、ここにおいて光源ブロック２は固定ブロック１に保持される。その後、図３に示すように、各把手６をそれぞれ収納位置に変位させる。すると、図７に示すように、各把手側端子７の栓刃部７３が、それぞれ栓刃挿入穴１４に挿入されるとともに固定側端子１２に接触導通する。これにより、固定側端子１２を介して面状光源２０に給電することが可能となる。また、この状態では、図８に示すように、係合が解除されるような（つまり、係合穴３３から出るような）係合爪１５の変位は、把手６のアーム部６１，６２によって阻止される。
【００２５】
逆に、光源ブロック２を固定ブロック１から取り外す際には、図２のように各把手６をそれぞれ突出位置に回転させた状態で把手６を下方に引く。すると、各係合爪１５及び各ばね部１６をそれぞれ弾性変形させて係合を解除し、光源ブロック２を固定ブロック１から取り外すことができる。
【００２６】
上記構成によれば、固定ブロック１から光源ブロック２を取り外す際には把手６を持つことで取外しが容易となるから、把手６が設けられない場合に比べて光源ブロック２の交換が容易となる。
【００２７】
また、把手６を収納位置に変位させなければ、把手側端子７を介した電気的な接続が達成されないので、いずれか一方でも把手６が突出位置であれば面状光源２０は点灯しない。
【００２８】
さらに、取付時、係合が不完全な係合爪１５があれば、その係合爪１５との干渉により、把手６を収納位置に変位させることができない。これにより、係合が不完全であることが使用者にとって分かり易い。
【００２９】
また、光源ブロック２が固定ブロック１に結合して把手６が収納位置にある状態では係合を解除する方向への係合爪１５の変位（及び、該変位を発生させるような係合爪１５やばね部１６の弾性変形）が禁止される。なお、本実施形態では各把手６がそれぞれ収納位置にある状態では全ての係合爪１５が把手６と光源保持体３との間に挟まれるが、把手６と光源保持体３との間に挟まれない位置に係合爪を追加することも可能である。
【００３０】
なお、把手６は１個とすることも可能である。その場合、例えば、両方のアーム部６１，６２にそれぞれ把手側端子７を設ける。
【符号の説明】
【００３１】
１  固定ブロック
２  光源ブロック
３  光源保持体
６  把手
７  把手側端子
１１  ベース
１２  固定側端子
１５  係合爪
２０  面状光源
【図１】
0005793707.tif 000002
【図２】
0005793707.tif 000003
【図３】
0005793707.tif 000004
【図４】
0005793707.tif 000005
【図５】
0005793707.tif 000006
【図６】
0005793707.tif 000007
【図７】
0005793707.tif 000008
【図８】
0005793707.tif 000009